(57)【特許請求の範囲】
【請求項１】
基板上にカッターレールと試料台レールとが直交する向きに固設され、前記カッターレールにはカッタースタンドが摺動自在に配置され、前記試料台レールには試料を載せる試料台が摺動自在に配置され、前記カッタースタンドには試料に平行に切り込みを入れるナイフ状カッターを取り付けたカッターホルダーが回転可能に支持されているクロスカット試験装置において、
前記カッターホルダーは、前記カッタースタンドに回転可能に支持されたアーム部と、前記アーム部の一端に設けられて前記ナイフ状カッターを把持するカッター把持部とからなり、
前記アーム部の他端にはレバーの一端が固定され、
前記レバーの他端にコイルばねの一端が固定され、
前記コイルばねの他端は、一直線上に並べた状態で前記基板に設けられた複数のネジ穴のいずれかに螺合されたネジにより前記基板に固定され、
前記レバーと、コイルばねと、該コイルばねの他端を前記基板に固定するネジとにより、前記試料に切り込みを入れる際に前記ナイフ状カッターの刃先が試料の素地表面に与える押圧力を一定に保持する付勢手段が構成され、
前記複数のネジ穴の中から前記ネジを螺合させるネジ穴を選択することにより、前記コイルばねを引っ張る距離を変えて前記押圧力を変え得るように構成されているクロスカット試験装置。
【発明の詳細な説明】
【技術分野】
【０００１】
本発明は、塗装、めっき等を施した表面被覆金属材料の評価サンプルの表面に切り込みを入れるナイフ状カッターを取り付けたカッターホルダーがカッタースタンドに回転可能に支持されているクロスカット試験装置に関するものである。
【背景技術】
【０００２】
塗装、めっき等を施した表面被覆金属材料のその被覆の密着性、耐食性を評価する際には、評価サンプル（以下、試料という）の素地である金属材料まで達する切り込みを入れるようになっている。
【０００３】
従来、例えば特許文献１に示される、カッターが取り付けられたクロスカット試験装置を用いて塗装、めっき等の防錆処理材料が被覆された試料の表面を何回も削りとり、切り込みが素地に達したと作業者が独自に判断していた。
【特許文献１】特開２００２−９０２８８号公報
【発明の開示】
【発明が解決しようとする課題】
【０００４】
切り込みが素地に達したと作業者が独自に判断していたため、切り込み深さは一定していなかった。また、試料に施されている防錆処理材料には、色々な膜厚仕様があり、下は５０μｍから上は３００μｍと幅があり、さらに堅さの違いがあるため、同じように切り込みを入れたと作業者が認識しても、素地まで達していなかったり、達していても切り込み深さが異なっていた。このように、切り込み深さが異なっている場合、防錆処理材料の耐食性を評価する際に、素地である金属材料の腐食進展に差ができてしまい、同一試料内でも切り込み部に錆が出たり出なかったりすることがあった。また、同じ仕様のものでも錆の状態が異なった結果になったり、比較試験をした際に一方が大きく腐食したりして、切り込み深さが一定に入らなかったことが耐食性評価結果に影響を及ぼしていた。
【０００５】
本発明の目的は、試料の密着性、耐食性評価結果に影響を及ぼさないようにしたクロスカット試験装置を提供する。
【課題を解決するための手段】
【０００６】
本発明は、基板上にカッターレールと試料台レールとが直交する向きに固設され、カッターレールにはカッタースタンドが摺動自在に配置され、試料台レールには試料を載せる試料台が摺動自在に配置され、カッタースタンドには試料に平行に切り込みを入れるナイフ状カッターを取り付けたカッターホルダーが回転可能に支持されているクロスカット試験装置を対象とする。
【０００７】
本発明においては、前記カッターホルダーが、カッタースタンドに回転可能に支持されたアーム部と、該アーム部の一端に設けられて前記ナイフ状カッターを把持するカッター把持部とにより構成される。アーム部の他端にはレバーの一端が固定され、該レバーの他端にコイルばねの一端が固定される。コイルばねの他端は、一直線上に並べた状態で基板に設けられた複数のネジ穴のいずれかに螺合されたネジにより基板に固定される。レバーと、コイルばねと、該コイルばねの他端を基板に固定するネジとにより、試料に切り込みを入れる際にナイフ状カッターの刃先が試料の素地表面に与える押圧力を一定に保持する付勢手段が構成され、複数のネジ穴の中から前記ネジを螺合させるネジ穴を選択することにより、コイルばねを引っ張る距離を変えて前記押圧力を変え得るように構成されている。
【発明の効果】
【０００８】
以上のように、本発明によれば、切り込み深さを一定に入れることで、試料の素地の腐食進展に差がなく腐食させることができるので、耐食性評価の信頼性が向上し、同一試料においても異なる結果が出ることがなくなる。
【０００９】
また本発明によれば、試料に切り込みを入れる際にナイフ状カッターの刃先が試料の素地表面に与える押圧力を変えることができるので、試料に施される防錆処理材料の膜厚の違い、または、堅さの違いに対応させることができる。
【発明を実施するための最良の形態】
【００１０】
図１ないし図４は本発明に係るクロスカット試験装置の一実施形態を示す概略構成図であり、図１は正面図、図２は平面図、図３は左側面図、図４は右側面図である。このクロスカット試験装置は図示するように、平板状の基板１０を備え、この基板１０上にはカッターレール１１と試料台レール１２とが直交する向きに固設されている。
【００１１】
カッターレール１１には、カッタースタンド１３が載せられてこのカッターレール１１をガイドとして摺動自在に配置されている。カッターレール１１の両端の試料台レール１２には、カッタースタンド１３の走行範囲の限界位置でこれを停止させるストッパー１１ａがそれぞれ設けられている。
【００１２】
試料台レール１２には、試料１４を載せる試料台１５がこの試料台レール１２をガイドとして摺動自在に配置されている。この試料１４は、試料台１５上に蝶ネジよりなる押え具１６で押えられて試料台１５に固定されている。この押え具１６は試料台１５に螺合されている。
【００１３】
カッタースタンド１３には、試料１４に平行に切り込み７を入れるナイフ状カッター６Ａを取り付けたカッターホルダー１７が支持されている。カッターホルダー１７は、ナイフ状カッター６Ａの刃先６ａが所定の角度で試料１４に対向されるように、カッタースタンド１３に回転可能に支持されている。カッターホルダー１７は、アーム部１７ａと、ナイフ状カッター６Ａを把持するカッター把持部１７ｂとからなり、カッター把持部１７ｂがアーム部１７ａの一端に形成され、図１に示すようにＴ形をなしていて、アーム部１７ａが水平向きでカッタースタンド１３に回転可能に支持されている。
【００１４】
カッタースタンド１３を回転自在に貫通したカッターホルダー１７のアーム部１７ａの他端には、レバー１８が取り付けられ、その一端がネジ１８ａで固定されている。レバー１８の他端には、例えば、コイルばね１９が設けられており、その一端はレバー１８の他端に固設されたネジ１８ｂに取り付けられ、その他端は基板１０の所定の位置に形成されたネジ穴１０ａに螺合されたネジ２０に取り付けられている。ネジ穴１０ａは、コイルばね１９が引っ張られた状態でナイフ状カッター６Ａの刃先６ａが試料１４方向に近づくような位置に形成されている。このレバー１８、ネジ１８ｂ、コイルばね１９及びネジ２０により、付勢手段３０が構成される。
【００１５】
コイルばね１９が引っ張られると、レバー１８が回転すると共に、カッターホルダー１７も一緒に回転され、ナイフ状カッター６Ａの刃先６ａが試料１４に対して当接されるようになっている。
【００１６】
コイルばね１９は、試料１４に切り込みを入れる際に、ナイフ状カッター６Ａの刃先６ａが試料１４の素地表面に与える押圧力を一定に保持させるように、ばね力が選定されて用いられる。また、試料１４に施される防錆処理材料の膜厚の違い、または、堅さの違いに対応させて上記押圧力が可変されるように、基板１０の所定の位置に複数のネジ穴１０ａが直線上に形成されており、この複数のネジ穴１０ａを選定することにより、ばねを引っ張る距離を変えて用いられる。
【００１７】
このようなクロスカット試験装置において、ナイフ状カッター６Ａの刃先６ａが試料台１５方向に付勢されているので、例えば、カッターホルダー１７を適宜のロック手段により、ナイフ状カッター６Ａの刃先６ａを試料台１５から離す状態にしておく。つぎに、試料台１５上に試料１４を載せて固定し、ナイフ状カッター６Ａの刃先６ａが試料台１５から離す状態を解除することにより、ナイフ状カッター６Ａの刃先６ａが試料１４に食い込み、刃先６ａが素地１に達する状態になる。この状態でカッタースタンド１３をカッターレール１１に沿って先方から手前側に移動させると、試料１４に直線状の切り込みを入れることができる。つづいて、ナイフ状カッター６Ａの刃先６ａを試料１４から離す状態にしておき、試料台１５を試料台レール１２に沿って所定長さを移動させた後、ナイフ状カッター６Ａの刃が試料台１５から離す状態を解除してカッタースタンド１３をカッターレール１１に沿って移動させる。このような操作を繰り返すことにより、所要本数の切り込みが試料１４に入る。その後、試料台１５上の試料１４を９０°回転して固定し、同様の操作で先の切り込みに対して直交する向きで切り込みを所要の本数入れることにより、直角の格子パターンの切り込みが得られる。
【図面の簡単な説明】
【００１８】
【図１】本発明に係るクロスカット試験装置の一実施形態の概略構成を示す正面図である。
【図２】本発明に係るクロスカット試験装置の一実施形態の概略構成を示す平面図である。
【図３】本発明に係るクロスカット試験装置の一実施形態の概略構成を示す左側面図である。
【図４】本発明に係るクロスカット試験装置の一実施形態の概略構成を示す右側面図である。
【符号の説明】
【００１９】
６Ａ ナイフ状カッター
６ａ 刃先
１０ 基板
１１ カッターレール
１２ 試料台レール
１３ カッタースタンド
１４ 試料
１５ 試料台
１７ カッターホルダー
３０ 付勢手段３０
【図１】
0004976236.tif 000002
【図２】
0004976236.tif 000003
【図３】
0004976236.tif 000004
【図４】
0004976236.tif 000005